(57)【要約】      （修正有）【課題】低価格かつ省スペースで設置可能な、一般家庭に広く普及する介護入浴装置の実現を目指す必要があった。入浴装置に洗浄など様々な機能を設けると、それだけ高価格・大型化してしまう。そこで入浴装置に浴槽としての機能のみを設けることにした。【解決手段】簡易浴槽は、次の構成により形成される。（イ）底面と後面が１枚の曲面。（ロ）左右の側面が平面。（ハ）前面が開閉自在な蛇腹面。（ニ）前面の蛇腹面の開閉軌道が曲面を描く。（ホ）底面と後面と側面と前面により設けられた空間に椅子部を設けた。【選択図】図１
2011115482.tif 000002
【特許請求の範囲】
【請求項１】
次の構成により形成されたことを特徴とする簡易浴槽
（イ）底面と後面が１枚の曲面。
（ロ）左右の側面が平面。
（ハ）前面が開閉自在な蛇腹面。
（ニ）前面の蛇腹面の開閉軌道が曲面を描く。
（ホ）底面と後面と側面と前面により設けられた空間に椅子部を設けた。
【発明の詳細な説明】
【技術分野】
【０００１】
本発明は、主に身体障害者や老人を座位の姿勢で入浴させることができる浴槽に関する技術である。
【背景技術】
【０００２】
従来の介護入浴装置に関する発明は、確かに介護者の苦労を軽減するものであったが、一般に多機能で大型のものが多い。そのため、従来の発明が商品化されたとしても、高価格でさらに広いスペースを必要とするため、一般家庭での普及は見込めず、自宅介護者の負担軽減に結び付かないと考えられる。
【先行技術文献】
【特許文献】
【０００３】
【特許文献１】特開２００３−１９０２４５
【発明の概要】
【発明が解決しようとする課題】
【０００４】
そこで、低価格かつ省スペースで設置可能な、一般家庭に広く普及する介護入浴装置の実現を目指す必要があった。入浴装置に洗浄など様々な機能を設けると、それだけ高価格・大型化してしまう。そこで入浴装置に浴槽としての機能のみを設けることにした。
【課題を解決するための手段】
【０００５】
上記課題を解決するために、本発明の簡易浴槽は、次の構成により形成される。
（イ）底面と後面が１枚の曲面。
（ロ）左右の側面が平面。
（ハ）前面が開閉自在な蛇腹面。
（ニ）前面の蛇腹面の開閉軌道が曲面を描く。
（ホ）底面と後面と側面と前面により設けられた空間に椅子部を設けた。
【発明の効果】
【０００６】
浴槽としての機能も非常にシンプルな構造にした。椅子部分に入浴者が座し、椅子部分と上記布が浴槽を形成し、被介護者が浴槽内に入っている状態となる。そして、上記布を引き下げジャバラ状に収納すれば、浴槽は椅子に戻り被介護者を浴槽から出すことができる。このように一般の浴槽であれば被介護者を介護者が持ちあげなければ浴槽からの出し入れができなかったのに対し、ジャバラ状に収納された布の上げ下げのみで浴槽からの出し入れが可能となるため、介護者の負担は非常に軽減される。
また、本発明は、浴槽部分の一部をジャバラ状に収納できる上、椅子部分も比較的小さなものであるため、小さなスペースに設置できる。
以上のように本発明はシンプルな構造であるため製造コストを抑えることで、低価格の商品化が可能となり、小型であるので一般家庭でも使用可能である。よって一般家庭での普及が見込まれる。
【図面の簡単な説明】
【０００７】
【図１】本発明に係る簡易浴槽に人が入浴している状態の側面図
【図２】本発明に係る簡易浴槽の前面を折畳んだ状態の側面図
【図３】図２の斜視図
【図４】本発明に係る簡易浴槽の前面を引上げだ状態の斜視図
【発明を実施するための形態】
【０００８】
本発明に係る簡易浴槽の実施例を図１〜図４に基づいて説明する。本発明に係る簡易浴槽１は、図１〜図４に示すように固定されたバスタブ２、稼動するバスタブ３、椅子４により構成されている。
【０００９】
バスタブ２は、図１〜図４に示すように通常のバスタブを中央部で斜めに切った状態の形状をしている。バスタブ２は、斜めの部分の４本のパイプ５、６、７、８と浴槽部９で構成されている。パイプの材質はアルミ等の金属又は合成樹脂である。浴槽部９を構成するシートの材質は合成樹脂又はゴムである。バスタブ２のパイプ６とパイプ８に椅子４を取り付けている。その取り付け部にバスタブ２を支持する支持棒１０、１１を設けている。椅子４の材質は合成樹脂である。支持棒１０、１１の材質はアルミ等の金属又は合成樹脂である。
【００１０】
バスタブ３は、図１〜図４に示すようにバスタブ２の斜めの部分に設けられている。バスタブ３はパイプ１３、１４、１５と蛇腹部１６により構成されている。パイプ１３、１４、１５の材質はアルミ等の金属又は合成樹脂である。蛇腹部１６の材質は合成樹脂又はゴムである。バスタブ３の蛇腹部１６は広げた状態においては、図１、図４に示すように、バスタブ２と一体になって浴槽を形成する。蛇腹部１６を閉じた状態においては、図２、図３に示すように、パイプ６とパイプ１３が、パイプ７とパイプ１５が、パイプ８とパイプ１４が重なった状態になる。従って、浴槽の前部が無いバスタブ２だけの構成となる。
【００１１】
本発明の簡易浴槽の実施例の使用方法について説明する。最初に、図２、図３に示すような蛇腹部１６を閉じた状態にして、浴槽に入る人を簡易浴槽１の椅子４に座らせる。次に、蛇腹部１６を広げた状態にして浴槽を形成する。その浴槽にお湯を入れる。
【符号の説明】
【００１２】
１    簡易浴槽
２    バスタブ
３    バスタブ
４    椅子
５    パイプ
６    パイプ
７    パイプ
８    パイプ
９    浴槽部
１０  パイプ
１１  パイプ
１３  パイプ
１４  パイプ
１５  パイプ
１６  蛇腹部
【図１】
2011115482.tif 000003
【図２】
2011115482.tif 000004
【図３】
2011115482.tif 000005
【図４】
2011115482.tif 000006
【手続補正書】
【提出日】平成22年5月7日(2010.5.7)
【手続補正１】
【補正対象書類名】特許請求の範囲
【補正対象項目名】全文
【補正方法】変更
【補正の内容】
【特許請求の範囲】
【請求項１】
次の構成により形成されることを特徴とする簡易浴槽
（イ）底面と後面が１枚の曲面
（ロ）左右の側面が平面
（ハ）前面が開閉自在な蛇腹面
（ニ）前面蛇腹の開閉軌道が曲面を描く
（ホ）底面と後面と側面と前面により設けられた空間に椅子部を設けた。
（へ）底面、後面、側面、前面の全ての面がシート材により形成されている。
【手続補正２】
【補正対象書類名】明細書
【補正対象項目名】０００４
【補正方法】変更
【補正の内容】
【０００４】
上記課題を解決するために、本発明の簡易浴槽は、次の構成により形成される。
（イ）底面と後面が１枚の曲面
（ロ）左右の側面が平面
（ハ）前面が開閉自在な蛇腹面
（ニ）前面蛇腹の開閉軌道が曲面を描く
（ホ）底面と後面と側面と前面により設けられた空間に椅子部を設けた。
（へ）底面、後面、側面、前面の全ての面がシート材により形成されている。
【手続補正書】
【提出日】平成22年7月16日(2010.7.16)
【手続補正１】
【補正対象書類名】特許請求の範囲
【補正対象項目名】全文
【補正方法】変更
【補正の内容】
【特許請求の範囲】
【請求項１】
次の構成により形成されることを特徴とする簡易浴槽。
（イ）固定されたバスタブと可動するバスタブと椅子により構成する。
（ロ）固定されたバスタブは、通常のバスタブを中央部で斜めに切った形状である。
（ハ）固定されたバスタブは、斜めの部分の４本のパイプと浴槽部により構成する。
（ニ）可動するバスタブは、パイプと蛇腹部により構成する。
（ホ）パイプの材質は金属又は合成樹脂である。
（へ）蛇腹部の材質は合成樹脂又はゴムである。
（ト）可動するバスタブの蛇腹部を広げた状態においては、固定されたバスタブと一体になって浴槽を形成する。
（チ）蛇腹部を閉じた状態においては、固定されたバスタブのパイプと可動するバスタブのパイプが重なった状態になって、浴槽の前部が無い固定されたバスタブだけの構成になる。
【手続補正２】
【補正対象書類名】明細書
【補正対象項目名】０００４
【補正方法】変更
【補正の内容】
【０００４】
上記課題を解決するために、本発明の簡易浴槽は、次の構成に形成される。
（イ）固定されたバスタブと可動するバスタブと椅子により構成する。
（ロ）固定されたバスタブは、通常のバスタブを中央部で斜めに切った形状である。
（ハ）固定されたバスタブは、斜めの部分の４本のパイプと浴槽部により構成する。
（ニ）可動するバスタブは、パイプと蛇腹部により構成する。
（ホ）パイプの材質は金属又は合成樹脂である。
（へ）蛇腹部の材質は合成樹脂又はゴムである。
（ト）可動するバスタブの蛇腹部を広げた状態においては、固定されたバスタブと一体になって浴槽を形成する。
（チ）蛇腹部を閉じた状態においては、固定されたバスタブのパイプと可動するバスタブのパイプが重なった状態になって、浴槽の前部が無い固定されたバスタブだけの構成になる。
【手続補正３】
【補正対象書類名】明細書
【補正対象項目名】０００６
【補正方法】変更
【補正の内容】
【０００６】
本発明に係る簡易浴槽の実施例を図１〜図４に基づいて説明する。本発明に係る簡易浴槽１は、図１〜図４に示すように固定されたバスタブ２、可動するバスタブ３、椅子４により構成されている。
【手続補正書】
【提出日】平成22年10月5日(2010.10.5)
【手続補正１】
【補正対象書類名】特許請求の範囲
【補正対象項目名】全文
【補正方法】変更
【補正の内容】
【特許請求の範囲】
【請求項１】
次の構成により形成されることを特徴とする簡易浴槽。
（イ）底面と後面が１枚のシート材で形成されている曲面
（ロ）左右の側面はシート材で形成されている平面
（ハ）前面が開閉自在なシート材で形成されている蛇腹面
（ニ）前面蛇腹の開閉軌道が曲面を描く
（ホ）底面と後面と側面と前面により設けられた空間に椅子部を設けた。
（へ）底面、後面、側面、前面の全ての面を形成しているシート材の材質は合成樹脂又はゴムである。
（ト）固定されたバスタブと可動するバスタブと椅子により構成する。
（チ）固定されたバスタブは、通常のバスタブを中央部で斜めに切った形状である。
（リ）固定されたバスタブは、斜めの部分の４本のパイプと浴槽部により構成する。
（ヌ）可動するバスタブは、パイプと蛇腹部により構成する。
（ル）パイプの材質は金属又は合成樹脂である。
（オ）蛇腹部の材質は合成樹脂又はゴムである。
（ワ）可動するバスタブの蛇腹部を広げた状態においては、固定されたバスタブと一体になって浴槽を形成する。
（カ）蛇腹部を閉じた状態においては、固定されたバスタブのパイプと可動するバスタブのパイプが重なった状態になって、浴槽の前部が無い固定されたバスタブだけの構成になる。
【手続補正２】
【補正対象書類名】明細書
【補正対象項目名】０００４
【補正方法】変更
【補正の内容】
【０００４】
上記課題を解決するために、本発明の簡易浴槽は、次の構成に形成される。
（イ）底面と後面が１枚のシート材で形成されている曲面
（ロ）左右の側面はシート材で形成されている平面
（ハ）前面が開閉自在なシート材で形成されている蛇腹面
（ニ）前面蛇腹の開閉軌道が曲面を描く
（ホ）底面と後面と側面と前面により設けられた空間に椅子部を設けた。
（へ）底面、後面、側面、前面の全ての面を形成しているシート材の材質は合成樹脂又はゴムである。
（ト）固定されたバスタブと可動するバスタブと椅子により構成する。
（チ）固定されたバスタブは、通常のバスタブを中央部で斜めに切った形状である。
（リ）固定されたバスタブは、斜めの部分の４本のパイプと浴槽部により構成する。
（ヌ）可動するバスタブは、パイプと蛇腹部により構成する。
（ル）パイプの材質は金属又は合成樹脂である。
（オ）蛇腹部の材質は合成樹脂又はゴムである。
（ワ）可動するバスタブの蛇腹部を広げた状態においては、固定されたバスタブと一体になって浴槽を形成する。
（カ）蛇腹部を閉じた状態においては、固定されたバスタブのパイプと可動するバスタブのパイプが重なった状態になって、浴槽の前部が無い固定されたバスタブだけの構成になる。